(57)【特許請求の範囲】
【請求項１】
上下に複数の階層が形成されて階床面から上方に隣接する前記階層の前記階床面までの距離を示す階高を少なくとも２種類備えた建屋内に上下に延びるように形成された昇降路に、上下に互いに間隔をあけて連結された上側乗りかごおよび下側乗りかごを有する乗りかご対が、制御装置によって前記昇降路内を上下移動可能に構成されたダブルデッキエレベータシステムにおいて、
前記乗りかご対は、
前記間隔を増減させて、前記下側乗りかごが停止する前記階層の前記階高に相当する距離になるように前記かご床面間距離を調整可能に構成された床面間距離調整機構を有し、
前記制御装置は、
前記複数の階層それぞれの前記階高を含む階高情報と、
前記上側乗りかごおよび下側乗りかごのうち少なくとも一方が、前記各階層の間を移動のために必要な時間を含む移動時間情報と、
所定の前記階高に相当する前記かご床面間距離から、別の前記階高に相当する前記かご床面間距離になるように前記かご床面間距離を調整するために必要な時間を含む調整時間情報と、
が格納された建屋情報格納部を有し、
前記上側乗りかごおよび下側乗りかごのうちどちらか一方が、所定の行先階層を呼び登録する呼び登録指示が先に入力された後に、
前記行先階層の前記呼び登録指示が入力された方の乗りかごが、前記呼び登録指示が入力された状態から前記行先階層へ移動するために必要な移動時間と、
前記呼び登録指示が入力されたときの前記かご床面間距離が、前記行先階層に対応する前記かご床面間距離になるように、前記かご床面間距離を調整するために必要な調整時間と、
を前記建屋情報格納部から抽出して、
前記移動時間が前記調整時間よりも短いときで、且つ前記行先階層の前記呼び登録指示が入力された方の乗りかごが前記上側乗りかごであるときは、前記下側乗りかごは前記行先階層の下方に隣接する前記階層の前記呼び登録指示の入力が無効になるように構成されて、
前記移動時間が前記調整時間よりも短いときで、且つ前記行先階層の前記呼び登録指示が入力された方の乗りかごが前記下側乗りかごであるときは、前記上側乗りかごは前記行先階層の上方に隣接する前記階層の前記呼び登録指示の入力が無効になるように構成されていること、
を特徴とするダブルデッキエレベータシステム。
【請求項２】
上下に複数の階層が形成されて階床面から上方に隣接する前記階層の前記階床面までの距離を示す階高を少なくとも２種類備えた建屋内に上下に延びるように形成された昇降路に、上下に互いに間隔をあけて連結された上側乗りかごおよび下側乗りかごを有する乗りかご対が、制御装置によって前記昇降路内を上下移動可能に構成されたダブルデッキエレベータシステムにおいて、
前記乗りかご対は、
前記間隔を増減させて、前記下側乗りかごが停止する前記階層の前記階高に相当する距離になるように前記かご床面間距離を調整可能に構成された床面間距離調整機構を有し、
前記制御装置は、
前記複数の階層それぞれの前記階高を含む階高情報と、
前記上側乗りかごおよび下側乗りかごのうち少なくとも一方が、前記各階層の間を移動のために必要な時間を含む移動時間情報と、
所定の前記階高に相当する前記かご床面間距離から、別の前記階高に相当する前記かご床面間距離になるように前記かご床面間距離を調整するために必要な時間を含む調整時間情報と、
が格納された建屋情報格納部を有し、
前記上側乗りかごおよび下側乗りかごのうちどちらか一方の乗りかごが所定階層へ、もう一方がこの所定階層に上方または下方に隣接する隣接階層へ移動することが決定され、次に、上側乗りかごおよび下側乗りかごのうちどちらか一方が、行先階層を呼び登録する呼び登録指示が先に入力された後に、
前記乗りかご対が前記所定階層および隣接階層にある状態から、前記行先階層の前記呼び登録指示が入力された方の乗りかごが、前記行先階層へ移動するために必要な移動時間と、
前記乗りかご対が前記所定階層および隣接階層にあるときの前記かご床面間距離が、前記行先階層に対応する前記かご床面間距離になるように、前記かご床面間距離を調整するために必要な調整時間と、
を前記建屋情報格納部から抽出して、
前記移動時間が前記調整時間よりも短いときで、且つ前記行先階層の前記呼び登録指示が入力された方の乗りかごが前記上側乗りかごであるときは、前記下側乗りかごは前記行先階層の下方に隣接する前記階層の前記呼び登録指示の入力が無効になるように構成されて、
前記移動時間が前記調整時間よりも短いときで、且つ前記行先階層の前記呼び登録指示が入力された方の乗りかごが前記下側乗りかごであるときは、前記上側乗りかごは前記行先階層の上方に隣接する前記階層の前記呼び登録指示の入力が無効になるように構成されていること、
を特徴とするダブルデッキエレベータシステム。
【請求項３】
前記上側乗りかごおよび下側乗りかごそれぞれには、停止可能な前記階層それぞれを表示するサービス階層表示装置が設けられて、
前記上側乗りかごおよび下側乗りかごのうち少なくとも一方の乗りかごが、前記呼び登録指示が入力できない前記階層があるときに、
少なくとも前記呼び登録指示が入力できない前記階層がある方の乗りかご内の前記サービス階層表示装置は、
前記呼び登録指示が入力可能な前記階層と、前記呼び登録指示が入力できない前記階層とが、識別可能に表示するように構成されていること、
を特徴とする請求項１または請求項２に記載のダブルデッキエレベータシステム。
【請求項４】
前記上側乗りかごおよび下側乗りかごそれぞれには、内部にアナウンス装置が設けられて、
前記上側乗りかごおよび下側乗りかごのうち少なくとも一方の乗りかごが、前記呼び登録指示が入力できない前記階層があるときに、
少なくとも前記呼び登録指示が入力できない前記階層がある方の乗りかご内の前記アナウンス装置は、前記呼び登録指示が入力できない旨をアナウンスするように構成されていること、
を特徴とする請求項１ないし請求項３のいずれか一項に記載のダブルデッキエレベータシステム。
【請求項５】
前記上側乗りかごおよび下側乗りかごそれぞれには、内部に画像および文字情報を表示可能な表示装置が設けられて、
前記上側乗りかごおよび下側乗りかごのうち少なくとも一方の乗りかごが、前記呼び登録指示が入力できない前記階層があるときに、
少なくとも前記呼び登録指示が入力できない前記階層がある方の乗りかご内の前記表示装置は、前記呼び登録指示が入力できない旨を表示するように構成されていること、
を特徴とする請求項１ないし請求項４のいずれか一項に記載のダブルデッキエレベータシステム。
【発明の詳細な説明】
【技術分野】
【０００１】
本発明は、上下に連結された上側乗りかごおよび下側乗りかごを有するダブルデッキエレベータシステムに関する。
【背景技術】
【０００２】
近年の建物の高層化、大規模化に伴い、昇降路を上下移動するエレベータの乗りかごの輸送能力を高めるために、ダブルデッキエレベータが用いられているものがある。
【０００３】
このダブルデッキエレベータは、同じ昇降路内に２台の乗りかごを共に走行させるため、一度に輸送できる能力は向上する。しかし、２台のかごそれぞれを単独で移動させることはできないため、一方の乗りかごで対応できる乗場呼びであっても、両方のかごを移動させる必要がある。このようなダブルデッキエレベータの制御については、例えば特許文献１に開示されているように、新たに発生した乗場呼びやかご内呼びに対して上下かごの割り当てを行うようなものが知られている。
【０００４】
また、２台のかごの床面間同士の距離（かご床面間距離）と、建物の床面同士の距離（階間距離）に差がある場合には、一方のかごの扉が開閉可能な状態で乗降した後に、もう一方のかごを移動させて行先階層に到着するように制御する必要がある。
【０００５】
これに対して例えば特許文献２に開示されているように、上下かごの間隔を増減するように互いに相対移動可能な機構を設けて、異なる階間距離に適応するものが知られている。
【先行技術文献】
【特許文献】
【０００６】
【特許文献１】特開２００５−００８４２２号公報
【特許文献２】特開２００２−２２０１６１号公報
【発明の概要】
【発明が解決しようとする課題】
【０００７】
上記の特許文献２に開示されている例では、行先階層への移動時間に対して、かご床面間距離の調整時間が長いと予測されるときには、呼び登録に応じるか否かを判定している。すなわち、時々刻々と変化する呼び登録が判定条件に含まれている。
【０００８】
この場合、滞りなく上下乗りかご双方を移動させるためには、呼び登録に応じるか否かを瞬時に判定する必要がある。このような制御システムでは、演算が複雑になり、判定に用いる演算装置の負荷が大きくなる。演算負荷が大きいと、システムトラブルの発生頻度も高くなる可能性がある。
【０００９】
本発明は上述した課題を解決するためになされたものであり、その目的は、ダブルデッキエレベータにおいて、呼び登録に応じるか否かを効率よく判定することである。
【課題を解決するための手段】
【００１０】
上記目的を達成するための本発明に係るダブルデッキエレベータシステムは、上下に複数の階層が形成されて階床面から上方に隣接する前記階層の前記階床面までの距離を示す階高を少なくとも２種類備えた建屋内に上下に延びるように形成された昇降路に、上下に互いに間隔をあけて連結された上側乗りかごおよび下側乗りかごを有する乗りかご対が、制御装置によって前記昇降路内を上下移動可能に構成されたダブルデッキエレベータシステムにおいて、前記乗りかご対は、前記間隔を増減させて、前記下側乗りかごが停止する前記階層の前記階高に相当する距離になるように前記かご床面間距離を調整可能に構成された床面間距離調整機構を有し、前記制御装置は、前記複数の階層それぞれの前記階高を含む階高情報と、前記上側乗りかごおよび下側乗りかごのうち少なくとも一方が、前記各階層の間を移動のために必要な時間を含む移動時間情報と、所定の前記階高に相当する前記かご床面間距離から、別の前記階高に相当する前記かご床面間距離になるように前記かご床面間距離を調整するために必要な時間を含む調整時間情報と、が格納された建屋情報格納部を有し、前記上側乗りかごおよび下側乗りかごのうちどちらか一方が、所定の行先階層を呼び登録する呼び登録指示が先に入力された後に、前記行先階層の前記呼び登録指示が入力された方の乗りかごが、前記呼び登録指示が入力された状態から前記行先階層へ移動するために必要な移動時間と、前記呼び登録指示が入力されたときの前記かご床面間距離が、前記行先階層に対応する前記かご床面間距離になるように、前記かご床面間距離を調整するために必要な調整時間と、を前記建屋情報格納部から抽出して、前記移動時間が前記調整時間よりも短いときで、且つ前記行先階層の前記呼び登録指示が入力された方の乗りかごが前記上側乗りかごであるときは、前記下側乗りかごは前記行先階層の下方に隣接する前記階層の前記呼び登録指示の入力が無効になるように構成されて、前記移動時間が前記調整時間よりも短いときで、且つ前記行先階層の前記呼び登録指示が入力された方の乗りかごが前記下側乗りかごであるときは、前記上側乗りかごは前記行先階層の上方に隣接する前記階層の前記呼び登録指示の入力が無効になるように構成されていること、を特徴とする。
【００１１】
また、本発明に係るダブルデッキエレベータシステムは、上下に複数の階層が形成されて階床面から上方に隣接する前記階層の前記階床面までの距離を示す階高を少なくとも２種類備えた建屋内に上下に延びるように形成された昇降路に、上下に互いに間隔をあけて連結された上側乗りかごおよび下側乗りかごを有する乗りかご対が、制御装置によって前記昇降路内を上下移動可能に構成されたダブルデッキエレベータシステムにおいて、前記乗りかご対は、前記間隔を増減させて、前記下側乗りかごが停止する前記階層の前記階高に相当する距離になるように前記かご床面間距離を調整可能に構成された床面間距離調整機構を有し、前記制御装置は、前記複数の階層それぞれの前記階高を含む階高情報と、前記上側乗りかごおよび下側乗りかごのうち少なくとも一方が、前記各階層の間を移動のために必要な時間を含む移動時間情報と、所定の前記階高に相当する前記かご床面間距離から、別の前記階高に相当する前記かご床面間距離になるように前記かご床面間距離を調整するために必要な時間を含む調整時間情報と、が格納された建屋情報格納部を有し、前記上側乗りかごおよび下側乗りかごのうちどちらか一方の乗りかごが所定階層へ、もう一方がこの所定階層に上方または下方に隣接する隣接階層へ移動することが決定され、次に、上側乗りかごおよび下側乗りかごのうちどちらか一方が、行先階層を呼び登録する呼び登録指示が先に入力された後に、前記乗りかご対が前記所定階層および隣接階層にある状態から、前記行先階層の前記呼び登録指示が入力された方の乗りかごが、前記行先階層へ移動するために必要な移動時間と、前記乗りかご対が前記所定階層および隣接階層にあるときの前記かご床面間距離が、前記行先階層に対応する前記かご床面間距離になるように、前記かご床面間距離を調整するために必要な調整時間と、を前記建屋情報格納部から抽出して、前記移動時間が前記調整時間よりも短いときで、且つ前記行先階層の前記呼び登録指示が入力された方の乗りかごが前記上側乗りかごであるときは、前記下側乗りかごは前記行先階層の下方に隣接する前記階層の前記呼び登録指示の入力が無効になるように構成されて、前記移動時間が前記調整時間よりも短いときで、且つ前記行先階層の前記呼び登録指示が入力された方の乗りかごが前記下側乗りかごであるときは、前記上側乗りかごは前記行先階層の上方に隣接する前記階層の前記呼び登録指示の入力が無効になるように構成されていること、を特徴とする。
【発明の効果】
【００１２】
本発明によれば、ダブルデッキエレベータにおいて、呼び登録に応じるか否かを効率よく判定することが可能である。
【図面の簡単な説明】
【００１３】
【図１】本発明の第１の実施形態に係るダブルデッキエレベータシステムの概略正面図で、下側乗りかごが停止している下階の階高よりもかご床面間距離が短い状態を示している。
【図２】図１のダブルデッキエレベータシステムの概略正面図で、下側乗りかごが停止している上階の階高よりもかご床面間距離が長い状態を示している。
【図３】図１の乗りかご対が特異階高階層（Ｎ階）に停止している状態を示す概略正面図で、（ａ）は上側乗りかごが特異階高階層（Ｎ階）に停止している状態を示し、（ｂ）は下側乗りかごが特異階高階層（Ｎ階）に停止している状態を示している。
【図４】図１の実施形態のダブルデッキエレベータシステムの呼び登録の可否を判定する流れを示すフローチャートである。
【図５】本発明の第２の実施形態に係るダブルデッキエレベータシステムの呼び登録の可否を判定する流れを示すフローチャートである。
【図６】本発明の第３の実施形態に係るダブルデッキエレベータシステムの概略正面図で、乗りかご対が上側出入口階および下側出入口階にある状態を示している。
【図７】図６の実施形態に係るダブルデッキエレベータシステムの呼び登録の可否を判定する流れを示すフローチャートである。
【発明を実施するための形態】
【００１４】
以下、本発明に係るダブルデッキエレベータシステムの実施形態について、図面を用いて説明する。
【００１５】
［第１の実施形態］
本発明に係る第１の実施形態について、図１〜図４を用いて説明する。
【００１６】
図１は、本実施形態に係るダブルデッキエレベータシステムの概略正面図で、下側乗りかご２１が停止している下階５１の階高よりもかご床面間距離が短い状態を示している。図２は、図１のダブルデッキエレベータシステムの概略正面図で、下側乗りかご２１が停止している下階５１の階高よりもかご床面間距離が長い状態を示している。なお、図２では、制御装置１００等の図示は省略している。
【００１７】
図３は、図１の乗りかご対２０が特異階高階層（Ｎ階）に停止している状態を示す概略正面図で、（ａ）は上側乗りかご２２がＮ階に停止している状態を示し、（ｂ）は下側乗りかご２１がＮ階に停止している状態を示している。図４は、図１のダブルデッキエレベータシステムの呼び登録の可否を判定する流れを示すフローチャートである。
【００１８】
先ず、本実施形態のエレベータシステムの構成について説明する。
【００１９】
本実施形態のダブルデッキエレベータシステムは、上下に複数の階層が形成されて階高を少なくとも２種類備えた建屋内に設けられている。ここで、階高とは、階床面から上方に隣接する階層の階床面までの距離を示している。図１および図２において、下階５１の階高は、下階５１の床面からこの下階５１の上方に隣接する上階５２の床面までに距離である。
【００２０】
この建屋には、階高が同じように形成された普通階層を複数有し、これらの階高よりも大きい特異階高が形成された特異階高階層が少なくとも１つ形成されている。図３に示すＮ階が特異階高階層に相当し、Ｎ階以外の階層、すなわち、Ｎ−２階、Ｎ−１階、Ｎ＋１階およびＮ＋２階は階高がすべてほぼ同じになるように形成された普通階層である。
【００２１】
この建屋内には、上下に延びるように形成された昇降路１が形成されている。この昇降路１内を上下に互いに間隔をあけて連結された上側乗りかご２２および下側乗りかご２１を有する乗りかご対２０が、制御装置１００によって昇降路１内を上下移動可能に構成さている。
【００２２】
このダブルデッキエレベータシステムは、昇降路１の上方に機械室５が設けられて、この機械室５内に巻き上げ機６等の駆動装置が配置されている。この巻き上げ機６には、エレベータ用ロープ３が懸架されている。このエレベータ用ロープ３の一方は、乗りかご対２０に連結されて、もう一方は釣合い錘７に連結されている。
【００２３】
詳細な図示は省略するが、巻き上げ機６等の駆動装置は、制御装置１００によって制御されている。この巻き上げ機６が作動すると、エレベータ用ロープ３に連結された乗りかご対２０が上下移動するように構成されている。この乗りかご対２０は、上側乗りかご２２および下側乗りかご２１が間隔をあけた状態で共に昇降路１内を上下移動する。
【００２４】
この乗りかご対２０の上側乗りかご２２および下側乗りかご２１それぞれは、内部に乗客が行先階層を呼び登録するための呼び登録階層表示器２９が設けられている。上側乗りかご２２および下側乗りかご２１それぞれに乗り込んだ乗客は、この呼び登録階層表示器２９で行先階層を呼び登録する。
【００２５】
また、この乗りかご対２０は、上側乗りかご２２および下側乗りかご２１の間に形成された間隔を調整する床面間距離調整機構２５を有している。
【００２６】
床面間距離調整機構２５の詳細な図示は省略しているが、この床面間距離調整機構２５は、上側乗りかご２２および下側乗りかご２１のかご床面の位置を検出する位置計測用センサ（図示せず）と、上側乗りかご２２および下側乗りかご２１の間に形成された間隔を増減させる駆動部（図示せず）と、を有している。この駆動部は、上側乗りかご２２および下側乗りかご２１それぞれが互いに相対移動可能な調整用レール２６を有し、この調整用レール２６に沿って、上側乗りかご２２および下側乗りかご２１を相対的に移動させる。
【００２７】
この床面間距離調整機構２５は、当該位置計測用センサによって、上側乗りかご２２および下側乗りかご２１それぞれの床面の位置を検出し、この検出結果に基づいて、上側乗りかご２２および下側乗りかご２１それぞれの床面同士の距離（かご床面間距離）を求める。このかご床面間距離が、下側乗りかご２１が停止する階層の階高と同じになるように、駆動部によって上側乗りかご２２または下側乗りかご２１が相対的に移動される。この床面間距離調整機構２５は、制御装置１００によって行われている。
【００２８】
図１の例では、下側乗りかご２１が停止している下階５１の階高よりもかご床面間距離が短いため、制御装置１００は、床面間距離調整機構２５によって、上側乗りかご２２および下側乗りかご２１の上下方向の間隔を増大させるように制御する。また、図２の例では、下側乗りかご２１が停止している下階５１の階高よりもかご床面間距離が長いため、制御装置１００は、床面間距離調整機構２５によって、上側乗りかご２２および下側乗りかご２１の上下方向の間隔を小さくするように制御する。
【００２９】
この床面間距離調整機構２５は、乗りかご対２０が移動中にかご床面間距離を調整して、上側乗りかご２２が上階５２に下側乗りかご２１が下階５１にほぼ同時に到着できるように制御する。これにより、上階扉４２および下階扉４１がほぼ同時に開放可能となり、乗客が乗降可能になる。
【００３０】
乗りかご対２０の上下移動を制御する制御装置１００は、建屋の階層などの情報が格納された建屋情報格納部１０１を有する。
【００３１】
この建屋情報格納部１０１には、建屋内の全ての階層の階高の情報を含む階高情報と、上側乗りかご２２および下側乗りかご２１のうち少なくとも一方が各階層の間を移動するために必要なかご移動時間情報と、が格納されている。ここで、かご移動時間情報は、上側乗りかご２２または下側乗りかご２１が、各階層から全ての階層それぞれへ直通で移動するときのかご移動時間の情報等が含まれている。
【００３２】
また、この建屋情報格納部１０１には、所定の階高に相当するかご床面間距離から、別の階高に相当するかご床面間距離になるように、床面間距離調整機構２５がかご床面間距離を調整するのに必要な調整時間情報が格納されている。ここで、調整時間情報は、例えばＮ階の特異階高に相当するかご床面間距離から、Ｎ＋１階の普通階高に相当するかご床面間距離になるまでに要する調整時間等の情報が格納されている。
【００３３】
ここで、本実施形態のダブルデッキエレベータシステムは、上側乗りかご２２または下側乗りかご２１のうちどちらか一方がＮ階の特異階高に相当する距離を移動するかご移動時間よりも、普通階高に相当するかご床面間距離から特異階高に相当する床面間距離になるように調整する調整時間の方が長い。これらの時間を比較した情報は、建屋の設計や、ダブルデッキエレベータシステムの駆動速度の能力等により決定されるものであるため、既知情報である。
【００３４】
この建屋情報格納部１０１には、上記のようなかご移動時間情報および調整時間情報を組み合せて互いに比較した情報も格納されている。この情報は、乗りかご対２０が所定の隣接する階層から別の隣接する階層へ移動するときのかご移動時間と、これ対応するように移動前のかご床面間距離から移動後のかご床面間距離になるように調整する調整時間と、が互いに組み合わされた情報等が含まれている。
【００３５】
続いて、本実施形態の作用について図３および図４を用いて説明する。
【００３６】
図４に示すように、先ず、上側乗りかご２２および下側乗りかご２１の呼び登録がなされる。このとき、上側乗りかご２２および下側乗りかご２１の呼び登録のうち、どちらが先に呼び登録されたかを把握しておく（ステップＳ４１）。
【００３７】
次に、呼び登録されたときのかご床面間距離から行先階層に対応するかご床面間距離になるようにかご床面間距離を調整するのに要する調整時間を建屋情報格納部１０１から抽出して、当該調整時間が所定時間以内か否かを判定する（ステップＳ４２）。ここで所定時間とは、呼び登録された行先階層へ上側乗りかご２２または下側乗りかご２１が移動するのに要する移動時間情と同じまたはこれよりも長い時間である。
【００３８】
このとき、調整時間が所定時間以内であるときは、乗りかご対２０は、上側乗りかご２２および下側乗りかご２１それぞれでなされた呼び登録に応じて移動する（ステップＳ４４）。
【００３９】
当該調整時間が、所定時間以上である場合には、上側乗りかご２２および下側乗りかご２１それぞれでなされた呼び登録のうち、遅い方の呼び登録を無効として（ステップＳ４３）、早い方の呼び登録に応じて乗りかご対２０を移動させる（ステップＳ４５）。
【００４０】
上記の制御手順について、図３を用いて具体的に説明する。
【００４１】
先ず、図３（ａ）に示すように下側乗りかご２１がＮ−１階にあって上側乗りかご２２がＮ階にある状態を移動前の状態として、各乗りかご２１、２２で呼び登録がなされるものとする。
【００４２】
当該状態で、上側乗りかご２２内からＮ＋１階が呼び登録されて、下側乗りかご２１内からＮ階が呼び登録される。このとき、上側乗りかご２２および下側乗りかご２１のうち、どちらの呼び登録が早いか把握する。この例では、上側乗りかご２２内でなされた呼び登録の方が下側乗りかご２１でなされた呼び登録よりも早いものとする（ステップＳ４１）。
【００４３】
次に、呼び登録されたときのかご床面間距離、すなわちＮ−１階の階高（普通階高）に相当するかご床面間距離から、行先階層に対応するかご床面間距離、すなわちＮ階の階高（特異階高）に相当するかご床面間距離になるように調整するのに要する調整時間を建屋情報格納部１０１から抽出して、当該調整時間が所定時間以内か否かを判定する（ステップＳ４２）。ここで所定時間とは、例えば、先に呼び登録された上側乗りかご２２が行先階層へ到達するまでの時間と同じまたはこれよりも長い時間である。
【００４４】
上記のように、普通階高に相当するかご床面間距離から特異階高に相当するかご床面間距離になるように調整する調整時間は、特異階高に相当する距離を上側乗りかご２２が移動する移動時間よりも長い。このため、当該調整時間は、所定時間以上であると判定される。このため、遅い方の呼び登録、すなわち下側乗りかご２１内でなされた呼び登録を無効として（ステップＳ４３）、上側乗りかご２２内でされた呼び登録に応じて乗りかご対２０を移動させる（ステップＳ４５）。
【００４５】
このとき、建屋情報格納部１０１に格納されたかご移動時間情報と、これに対応する調整時間の組合せ情報を用いて判定することも可能である。
【００４６】
また、このような制御を行う場合、上側乗りかご２２および下側乗りかご２１それぞれに設けられた呼び登録階層表示器２９に、呼び登録可能な階層と無効になる階層とが、乗客に容易にわかるように表示するとよい。例えば、呼び登録階層表示器２９において、全ての停止可能な階層を表示する部位に表示灯（図示せず）等を設けて、点灯、消灯によって呼び登録（サービス）可能な階層か否かを乗客に予め伝達するような表示機能を設けるとよい。
【００４７】
通常は、全ての停止階層がサービス可能な階層としているため、全ての階層は点灯している。無効になる階層が生じた場合、この階層を示す表示等を消灯させることによって、サービスしない階層であることを乗客に認識させることができる。
【００４８】
上記の例のように、Ｎ−１階に下側乗りかご２１が停止して、Ｎ階に上側乗りかご２２が停止している状態で、上側乗りかご２２内でなされたＮ＋１階の呼び登録が、下側乗りかご２１内でなされたＮ階の呼び登録よりも早く呼び登録されると、下側乗りかご２１は、上記の通り、Ｎ階の呼び登録が無効になる。すなわち、Ｎ階がサービス階から除外されることになる。このとき、Ｎ階を消灯させることによって、サービス階層でないことを乗客に認識させる。
【００４９】
これにより、乗客がサービス可能な階層を簡単に把握することができるため、行先階層を呼び登録をより効率よく行うことができる。
【００５０】
また、上側乗りかご２２および下側乗りかご２１それぞれに、かご内アナウンス装置２８等を設けてもよい。上記のように制御されて行先階層の呼び登録が制限された場合には、このかご内アナウンス装置２８によって、呼び登録できない階層、すなわちサービスできない階層がある旨を放送して、乗客に対して聴覚的に当該サービス内容を伝達する。
【００５１】
例えば、上記のように、下側乗りかご２１のＮ階の呼び登録が無効になったと判定されたときに、Ｎ階の呼び登録が無効になる旨を放送すればよい。また、下側乗りかご２１のＮ階の呼び登録が無効になったと判定された後に下側乗りかご２１からＮ階の呼び登録がなされたときに、当該呼び登録が無効になる旨を放送してもよい。
【００５２】
これにより、呼び登録できない階層があっても、故障等が発生して閉じ込められてしまった等の勘違いを抑制することができる。
【００５３】
また、上記の放送内容を表示可能なディスプレイ等の表示装置（図示せず）を設けて、視覚的に当該サービス内容を乗客に伝達することも可能である。また、この当該放送内容を表示する機能を、呼び登録階層表示器２９内に設けてもよい。
【００５４】
この場合にも、下側乗りかご２１のＮ階の呼び登録が無効になったと判定されたときに、Ｎ階の呼び登録が無効になる旨を表示すればよい。また、下側乗りかご２１のＮ階の呼び登録が無効になったと判定された後に下側乗りかご２１からＮ階の呼び登録がなされたときに、当該呼び登録が無効になる旨を表示してもよい。
【００５５】
以上の説明からわかるように、本実施形態によれば、かご床面間距離を調整する調整時間が所定時間以上である場合には、乗りかご内から呼び登録可能な階層を制限することができる。これにより、かご床面間距離を調整している間に行先階層へ到達できないという不具合を抑制すると共に、ダブルデッキエレベータの運転効率を向上させることが可能になる。
【００５６】
また、呼び登録に応答するか否かを判定するのに必要な情報が、予め建屋情報格納部１０１に格納されている。このため、制御装置１００は、乗りかごの位置やかご床面間距離の計測情報等を用いた複雑な演算を行うことなく、呼び登録がなされた後に、当該呼び登録に応答するか否かを判定できる。よって、より単純な演算によって、乗りかご対２０を制御することができるため、システムトラブル等の発生も抑制できる。
【００５７】
また、呼び登録が制限されて、かご内から呼び登録ができないときでも、乗客にサービス内容を伝達できるため、故障等が発生して閉じ込められてしまったなどと、勘違いされることを抑制することができる。
【００５８】
［第２の実施形態］
本発明に係るダブルデッキエレベータシステムの第２の実施形態について、図５を用いて説明する。図５は、本実施形態に係るダブルデッキエレベータシステムの呼び登録の可否を判定する流れを示すフローチャートである。なお、本実施形態のダブルデッキエレベータシステムの構成および当該システムが設けられた建屋は、図１〜図３に示すものと同じである。
【００５９】
第１の実施形態では、上側乗りかご２２および下側乗りかご２１のうちどちらか一方が、特異階高階層（図３のＮ階）にある状態で呼び登録されて、この状態から呼び登録された行先階層へ移動する場合について説明した。しかし、かご床面間距離を調整する時間が、かご移動時間よりも長くなる場合は、特異階高階層に一方の乗りかご２１、２２がある場合に限られない。
【００６０】
本実施形態では、乗りかご対２０が、特異階高階層の近傍の階層にある状態から移動する例について、図５を用いて説明する。
【００６１】
先ず、特異階高階層（Ｎ階）の近傍の階層にあるときに、上側乗りかご２２および下側乗りかご２１のうち少なくとも一方の乗りかご内から呼び登録がなされる。ここで、上側乗りかご２２および下側乗りかご２１それぞれから呼び登録があったときは、どちらの乗りかごが先に呼び登録されたかを把握しておく。先に呼び登録した方の乗りかごを優先かごとする（ステップＳ５１）。
【００６２】
ここで呼び登録された階層へ移動するためのかご移動時間と、行先階層に対応するようにかご床面間距離を調整する調整時間と、を建屋情報格納部１０１から抽出して、第１の実施形態と同様に、調整時間が所定時間以内か否かを判定する（ステップＳ５２）。
【００６３】
このとき、所定時間以内であるときは、呼び登録に対して通常通り応答する（ステップＳ５４）。
【００６４】
所定時間以上であると判断された呼び登録がなされた乗りかごが、優先かごか否かを判定する（ステップＳ５３）。
【００６５】
優先かごでないときは、呼び登録に応答して乗りかご対２０を移動させる（ステップＳ５５）。
【００６６】
優先かごであると判定されたときは、優先かごではない方の乗りかご内でなされた呼び登録を無効（ステップＳ５６）、優先かごでなされた呼び登録を有効（ステップＳ５７）として、優先かごの呼び登録に応答して乗りかご対２０を移動させる（ステップＳ５５）。
【００６７】
上記の制御工程について、図３を用いて具体的に説明する。
【００６８】
上側乗りかご２２がＮ−１階、下側乗りかご２１がＮ−２階にあるときを移動前の状態で、上側乗りかご２２内からＮ＋１階、下側乗りかご２１内からＮ階の呼び登録がなされる場合について説明する。この例では、上側乗りかご２２でなされた呼び登録が早いものとする。また、上側乗りかご２２が、Ｎ−１階からＮ＋１階へ移動するかご移動時間は、かご床面間距離が、普通階高に相当する距離から特異階高に相当する距離になるように調整する調整時間よりも短いものとする。
【００６９】
先ず、上側乗りかご２２がＮ−１階、下側乗りかご２１がＮ−２階にあるときを移動前の状態とする。このとき、上側乗りかご２２内からＮ＋１階、下側乗りかご２１内からＮ階の呼び登録がなされる。ここで、上側乗りかご２２でなされた呼び登録が早いと認識し、上側乗りかご２２を優先かごとする（ステップＳ５１）。
【００７０】
移動前の状態のかご床面間距離は、Ｎ−２階の階高（普通階高）に相当し、呼び登録された行先階層に対応するかご床面間距離は、Ｎ階の階高（特異階高）に相当する。
【００７１】
ここで呼び登録された階層へ移動するためのかご移動時間と、行先階層に対応するようにかご床面間距離を調整する調整時間と、を建屋情報格納部１０１から抽出して、第１の実施形態と同様に、調整時間が所定時間以内か否かを判定する。この例では、抽出した情報に基づいて、当該調整時間が所定時間以上であると判定される（ステップＳ５２）。ここで、所定時間は、上側乗りかご２２が、Ｎ−１階からＮ＋１階へ移動するかご移動時間と同じまたはこれよりも長い時間である。
【００７２】
当該判定後、優先かごではない下側乗りかご２１内でなされた呼び登録を無効（ステップＳ５６）、優先かごである上側乗りかご２２でなされた呼び登録を有効（ステップＳ５７）として、上側乗りかご２２内からなされた呼び登録に応答して乗りかご対２０を移動させる（ステップＳ５５）。
【００７３】
以上の説明からわかるように、本実施形態によれば、第１の実施形態の効果に加え、上側乗りかご２２および下側乗りかご２１が、特異階高階層にない場合であっても、かご移動時間よりもこれに対応するかご床面間距離を調整する調整時間の方が長くなるような呼び登録がなされたときに、呼び登録を制限することができる。
【００７４】
このため、効率よく呼び登録を制限できるため、輸送効率も向上する。
【００７５】
［第３の実施形態］
本発明に係るダブルデッキエレベータシステムの第３の実施形態について、図６および図７を用いて説明する。図６は、本実施形態に係るダブルデッキエレベータシステムの概略正面図で、乗りかご対２０が上側出入口階５２ａおよび下側出入口５１ａにある状態を示している。図７は、図６の実施形態に係るダブルデッキエレベータシステムの呼び登録の可否を判定する流れを示すフローチャートである。
【００７６】
なお、本実施形態は、第１の実施形態の変形例であって、第１の実施形態と同一部分または類似部分には、同一符号を付して、重複説明を省略する。また、本実施形態のダブルデッキエレベータシステムの構成および当該システムが設けられた建屋は、図１〜図３に示すものと同じである。
【００７７】
第１および第２の実施形態では、乗りかご対２０が特異階高階層（図３のＮ階）またはその近傍階層にある状態で乗りかご内から呼び登録されて、この状態から移動する場合について説明した。しかし、かご床面間距離を調整する時間が、かご移動時間よりも長くなるような呼び登録がなされる場合は、乗りかご対２０が特異階高階層またはその近傍階層にある状態とは限られない。
【００７８】
本実施形態では、乗りかご対２０がどの位置にあった場合でも、かご床面間距離を調整する時間が、かご移動時間よりも長くなるような呼び登録がなされたときには、第１および第２の実施形態と同様に、呼び登録を制限することができる。
【００７９】
図６および図７を用いて、乗りかご対２０が特異階高階層から遠い階層にあるときに、かご床面間距離を調整する時間が、かご移動時間よりも長くなるような呼び登録がなされる例について説明する。
【００８０】
図６に示すように、上側乗りかご２２および下側乗りかご２１は、それぞれ上側出入口階５２ａ、下側出入口階５１ａに停止している状態から、上方の階層へ向かう場合について説明する。
【００８１】
この例は、上側乗りかご２２が上側出入口階５２ａ、下側乗りかご２１が下側出入口階５１ａで停止しているときに、４つの呼び登録がなされる。先ず、上側乗りかご２２内からＮ−１階、下側乗りかご２１内からＮ−２階（図示せず）の呼び登録がなされる。さらに乗りかご対２０が移動する前（停止中）に、上側乗りかご２２内からＮ＋１階、下側乗りかご２１内からＮ階の呼び登録がなされる。このとき、上側乗りかご２２内からのＮ＋１階の呼び登録は、下側乗りかご２１内からの呼び登録よりも早いものとする。
【００８２】
また、上側乗りかご２２が上側出入口階５２ａ、下側乗りかご２１が下側出入口階５１ａにある状態から、上側乗りかご２２がＮ−１階、下側乗りかご２１がＮ−２階へ移動するかご移動時間は、これに対応するようにかご床面間距離を調整する時間よりも長いものとする。
【００８３】
また、第２の実施形態と同様に、上側乗りかご２２が、Ｎ−１階からＮ＋１階へ移動するかご移動時間は、かご床面間距離が、普通階高に相当する距離から特異階高に相当する距離になるように調整する調整時間よりも短いものとする。
【００８４】
先ず、乗りかご対２０は、上側出入口階５２ａおよび下側出入口階５１ａで停止しているときに乗客が乗り込んで、次々に呼び登録がなされる。これら複数の呼び登録には、上側乗りかご２２でＮ−１階、下側乗りかご２１でＮ−２階が呼び登録されて、この後に、上側乗りかご２２でＮ＋１階、下側乗りかご２１でＮ階が呼び登録されるものが含まれる。上側乗りかご２２でＮ＋１階、下側乗りかご２１でＮ階が呼び登録のうち、上側乗りかご２２内でなされたＮ＋１階の呼び登録が、下側乗りかご２１内でなされたＮ階の呼び登録よりも早いことを認識して、上側乗りかご２２を優先かごとする（ステップＳ７１）。
【００８５】
ここで、複数の呼び登録それぞれに対して、建屋情報格納部１０１から、かご移動時間およびこれに対応するかご床面間距離を調整する調整時間を抽出し、第１および第２の実施形態と同様に、当該調整時間が所定時間以内か否かを判定する（ステップＳ７２）。
【００８６】
ここで上記の通り、上側乗りかご２２でＮ−１階、下側乗りかご２１でＮ−２階の呼び登録の組合せは、当該調整時間が所定時間以内であると判定される。この後に行われた上側乗りかご２２でＮ＋１階、下側乗りかご２１でＮ階の呼び登録の組合せは、当該調整時間が所定時間よりも長いと判定される。
【００８７】
上記の通り上側乗りかご２２が優先かごであるため、遅い方の呼び登録、すなわち下側乗りかご２１内でなされたＮ階の呼び登録を無効として（ステップＳ７４）、上側乗りかご２２内でされたＮ＋１階の呼び登録に応じて乗りかご対２０を移動させる（ステップＳ７５）。
【００８８】
以上の説明からわかるように、本実施形態によれば、第１および第２の実施形態の効果に加え、乗りかご対２０がある位置によらず、かご移動時間よりもこれに対応するかご床面間距離を調整する調整時間の方が長くなるような呼び登録がなされたときに、呼び登録を制限することができる。
【００８９】
このため、効率よく呼び登録を制限できるため、輸送効率も向上する。
【００９０】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００９１】
例えば、床面間距離調整機構２５の駆動部は、調整用レール２６に沿って、上側乗りかご２２および下側乗りかご２１が相対移動可能に構成されているが、これに限らない。例えば上側乗りかご２２および下側乗りかご２１の間にパンタグラフ機構等を設けてもよい。
【００９２】
また、第３の実施形態では、上側乗りかご２２が上側出入口階５２ａ、下側乗りかご２１が下側出入口階５１ａで停止しているときに、４つの呼び登録、すなわち、上側乗りかご２２内からＮ−１階、下側乗りかご２１内からＮ−２階、上側乗りかご２２内からＮ＋１階、下側乗りかご２１内からＮ階の呼び登録がなされた場合について、４番目の呼び登録に応じるか否かを判定することについて説明しているが、これに限らない。
【００９３】
例えば、上側乗りかご２２が上側出入口階５２ａ、下側乗りかご２１が下側出入口階５１ａで停止しているときに、上側乗りかご２２内からＮ−１階、下側乗りかご２１内からＮ−２階の呼び登録がなされ、この後に、乗りかご対２０が移動中に、上側乗りかご２２内からＮ＋１階、下側乗りかご２１内からＮ階の呼び登録がなされた場合でも、４番目の呼び登録に応じるか否かを判定することができる。
【００９４】
また、上記の４つの呼び登録のうち１番目の呼び登録だけが、乗りかご対２０が停止しているときになされた場合でも、同様に判定できる。また、乗りかご対２０が移動し始めてから、上記の４つの呼び登録がなされた場合でも、同様に判定することもできる。
【００９５】
また、第１〜第３の実施形態では、乗りかご内からの呼び登録について説明したが、これに限らず、乗場からの呼び登録でも同様に、呼び登録の制限を行うことができる。
【符号の説明】
【００９６】
１…昇降路、３…エレベータ用ロープ、５…機械室、６…巻き上げ機、７…釣合い錘、２０…乗りかご対、２１…下側乗りかご、２２…上側乗りかご、２５…床面間距離調整機構、２６…調整用レール、２８…かご内アナウンス装置、２９…呼び登録階層表示器、４１…下階扉、４２…上階扉、１００…制御装置、１０１…建屋情報格納部、５１…下階、５２…上階、５１ａ…下側出入口階、５２ａ…上側出入口階
【図１】
0005550313.tif 000002
【図２】
0005550313.tif 000003
【図３】
0005550313.tif 000004
【図４】
0005550313.tif 000005
【図５】
0005550313.tif 000006
【図６】
0005550313.tif 000007
【図７】
0005550313.tif 000008